(57)【要約】【課題】本構成を有さない場合に比べ、転写率が向上する画像形成装置を提供する。【解決手段】画像形成装置１０が、磁気ドラム１２上に水分を供給する水分供給部４８と、現像装置１６により磁気ドラム１２上に供給された現像液の磁気ドラム１２上における膜厚が予め定められた膜厚以下のときに磁気ドラム１２上に水分を供給するように水分供給部４８を制御するＣＰＵ６０と、を備える。【選択図】図１
2010143188.tif 000002
【特許請求の範囲】
【請求項１】
磁気潜像が形成されて保持される磁気潜像保持体と、
磁気トナー及び水性媒体を含む液体現像剤を前記磁気潜像保持体に形成された磁気潜像に供給する液体現像剤供給手段と、
前記磁気潜像を前記液体現像剤によって現像することにより形成された現像像が転写される被転写体と、
前記磁気潜像保持体上に水分を供給する水分供給手段と、
画像形成が行われる場合または前記磁気潜像保持体の清掃が行われる場合、前記液体現像剤供給手段により前記磁気潜像保持体上に供給された前記水性媒体の当該磁気潜像保持体上における膜厚が予め定められた膜厚以下のときに前記磁気潜像保持体上に水分を供給するように前記水分供給手段を制御する制御手段と、
を含む画像形成装置。
【請求項２】
前記磁気潜像保持体上の水分を除去する除去手段を更に含み、
前記制御手段は、更に、前記磁気潜像保持体の表面温度が予め定められた温度を超えた場合、当該表面温度が前記予め定められた温度以下になるまで前記磁気潜像保持体上への水分の供給及び前記磁気潜像保持体上の水分の除去を順次に行わせるように前記水分供給手段及び前記除去手段を制御する請求項１記載の画像形成装置。
【請求項３】
前記磁気潜像保持体は中空部を有し、
前記中空部に送風する送風手段を更に含み、
前記制御手段は、更に、前記磁気潜像保持体の表面温度が予め定められた温度を超えた場合、当該表面温度が前記予め定められた温度以下になるまで前記送風手段により送風させる制御を行う請求項１または請求項２に記載の画像形成装置。
【請求項４】
前記液体現像剤供給手段により供給された前記液体現像剤の前記磁気潜像保持体上における膜厚を測定する膜厚測定手段と、
前記磁気潜像保持体の周囲の環境の温度及び湿度の少なくとも一方を測定する環境物理量測定手段と、
前記環境物理量測定手段により測定される温度及び湿度の少なくとも一方に対する前記膜厚の経時変化を示す経時変化情報を予め記憶した記憶手段と、
前記環境物理量測定手段により測定された温度及び湿度の少なくとも一方に対応する前記経時変化情報を前記記憶手段から読み出し、当該経時変化情報及び前記膜厚測定手段により測定された膜厚に基づいて、前記現像像が前記被転写体に転写される時点での転写位置における膜厚を推定する推定手段と、
前記磁気潜像保持体上に送風する送風手段と、を更に含み、
前記制御手段は、更に、前記液体現像剤供給手段により供給された前記水性媒体の当該磁気潜像保持体上における膜厚が前記予め定められた膜厚以下のとき、前記推定手段により推定された膜厚を前記現像像が前記被転写体に転写される時点で予め定められた範囲に収めるために、前記磁気潜像保持体上への水分の供給及び前記磁気潜像保持体上への送風を順次に行わせるように前記水分供給手段及び前記送風手段を制御する請求項１から請求項３の何れか１項に記載の画像形成装置。
【請求項５】
前記制御手段は、更に、前記推定手段により推定された膜厚が予め定められた膜厚を超えているか否かを判断し、超えていると判断した場合、当該膜厚を前記予め定められた範囲に収めるために、前記磁気潜像保持体上への送風を行わせるように前記送風手段を制御する請求項４記載の画像形成装置。
【請求項６】
前記膜厚測定手段は、前記磁気潜像保持体上における前記磁気潜像が形成されない領域の前記膜厚を測定する請求項４または請求項５に記載の画像形成装置。
【請求項７】
前記磁気潜像保持体及び前記被転写体は、各々両端部が回転可能に支持された回転体であり、
前記被転写体は、当該被転写体及び前記磁気潜像保持体が回転された状態で前記現像像が転写され、
前記制御手段は、更に、前記現像像を前記被転写体に転写する際に前記被転写体の回転速度が前記磁気潜像保持体の回転速度よりも遅くなるように前記磁気潜像保持体及び前記被転写体を制御する請求項１から請求項６の何れか１項に記載の画像形成装置。
【発明の詳細な説明】
【技術分野】
【０００１】
本発明は、画像形成装置に関する。
【背景技術】
【０００２】
特許文献１には、像保持体表面に静電潜像を形成し、当該静電潜像が形成された像保持体表面にトナーを含む液体を塗布することで像保持体表面にトナー像を形成した後、像保持体表面の液体を除去し、トナー像を乾燥させ、当該トナー像を中間転写媒体を介して記録媒体上に転写する画像形成装置が開示されている。
【特許文献１】特開２００４−１０２３１６号公報
【発明の開示】
【発明が解決しようとする課題】
【０００３】
本発明の課題は、液体現像剤を用いても、転写率が向上する画像形成装置を提供することである。
【課題を解決するための手段】
【０００４】
上記目的を達成するために、請求項１に記載の画像形成装置は、磁気潜像が形成されて保持される磁気潜像保持体と、磁気トナー及び水性媒体を含む液体現像剤を前記磁気潜像保持体に形成された磁気潜像に供給する液体現像剤供給手段と、前記磁気潜像を前記液体現像剤によって現像することにより形成された現像像が転写される被転写体と、前記磁気潜像保持体上に水分を供給する水分供給手段と、画像形成が行われる場合または前記磁気潜像保持体の清掃が行われる場合、前記液体現像剤供給手段により前記磁気潜像保持体上に供給された前記水性媒体の当該磁気潜像保持体上における膜厚が予め定められた膜厚以下のときに前記磁気潜像保持体上に水分を供給するように前記水分供給手段を制御する制御手段と、を含んで構成されている。
【０００５】
また、請求項２に記載の画像形成装置は、請求項１記載の発明において、前記磁気潜像保持体上の水分を除去する除去手段を更に含み、前記制御手段が、更に、前記磁気潜像保持体の表面温度が予め定められた温度を超えた場合、当該表面温度が前記予め定められた温度以下になるまで前記磁気潜像保持体上への水分の供給及び前記磁気潜像保持体上の水分の除去を順次に行わせるように前記水分供給手段及び前記除去手段を制御するものである。
【０００６】
また、請求項３に記載の画像形成装置は、請求項１または請求項２に記載の発明において、前記磁気潜像保持体は中空部を有し、前記中空部に送風する送風手段を更に含み、前記制御手段が、更に、前記磁気潜像保持体の表面温度が予め定められた温度を超えた場合、当該表面温度が前記予め定められた温度以下になるまで前記送風手段により送風させる制御を行うものである。
【０００７】
また、請求項４に記載の画像形成装置は、請求項１から請求項３の何れか１項に記載の発明において、前記液体現像剤供給手段により供給された前記液体現像剤の前記磁気潜像保持体上における膜厚を測定する膜厚測定手段と、前記磁気潜像保持体の周囲の環境の温度及び湿度の少なくとも一方を測定する環境物理量測定手段と、前記環境物理量測定手段により測定される温度及び湿度の少なくとも一方に対する前記膜厚の経時変化を示す経時変化情報を予め記憶した記憶手段と、前記環境物理量測定手段により測定された温度及び湿度の少なくとも一方に対応する前記経時変化情報を前記記憶手段から読み出し、当該経時変化情報及び前記膜厚測定手段により測定された膜厚に基づいて、前記現像像が前記被転写体に転写される時点での転写位置における膜厚を推定する推定手段と、前記磁気潜像保持体上に送風する送風手段と、を更に含み、前記制御手段が、更に、前記液体現像剤供給手段により供給された前記水性媒体の当該磁気潜像保持体上における膜厚が前記予め定められた膜厚以下のとき、前記推定手段により推定された膜厚を前記現像像が前記被転写体に転写される時点で予め定められた範囲に収めるために、前記磁気潜像保持体上への水分の供給及び前記磁気潜像保持体上への送風を順次に行わせるように前記水分供給手段及び前記送風手段を制御するものである。
【０００８】
また、請求項５に記載の画像形成装置は、請求項４に記載の発明において、前記制御手段が、更に、前記推定手段により推定された膜厚が予め定められた膜厚を超えているか否かを判断し、超えていると判断した場合、当該膜厚を前記予め定められた範囲に収めるために、前記磁気潜像保持体上への送風を行わせるように前記送風手段を制御するものである。
【０００９】
また、請求項６に記載の画像形成装置は、請求項４または請求項５に記載の発明において、前記膜厚測定手段が、前記磁気潜像保持体上における前記磁気潜像が形成されない領域の前記膜厚を測定するものである。
【００１０】
また、請求項７に記載の画像形成装置は、請求項１から請求項６の何れか１項に記載の発明において、前記磁気潜像保持体及び前記被転写体が、各々両端部が回転可能に支持された回転体であり、前記被転写体が、当該被転写体及び前記磁気潜像保持体が回転された状態で前記現像像が転写され、前記制御手段が、更に、前記現像像を前記被転写体に転写する際に前記被転写体の回転速度が前記磁気潜像保持体の回転速度よりも遅くなるように前記磁気潜像保持体及び前記被転写体を制御するものである。
【発明の効果】
【００１１】
請求項１の発明によれば、水分供給手段を有さない場合と比べ、転写率が向上する、という効果が得られる。
【００１２】
また、請求項２に記載の発明によれば、水分を除去する除去手段を有さない場合に比べ、転写率がより一層向上する、という効果が得られる。
【００１３】
また、請求項３に記載の発明によれば、磁気潜像保持体の中空部に送風する送風手段を有さない場合に比べ、転写率がより一層向上する、という効果が得られる。
【００１４】
また、請求項４に記載の発明によれば、転写率がより一層向上する、という効果が得られる。
【００１５】
また、請求項５に記載の発明によれば、膜厚を調整するための制御の不要な実行が回避される、という効果が得られる。
【００１６】
また、請求項６に記載の発明によれば、磁気潜像保持体上に形成された現像像を乱すことなく膜厚が測定される、という効果が得られる。
【００１７】
また、請求項７に記載の発明によれば、転写率がより一層向上する、という効果が得られる。
【発明を実施するための最良の形態】
【００１８】
以下、図面を参照して、本発明を実施するための最良の形態について詳細に説明する。
【００１９】
図１は、本実施形態に係る画像形成装置１０の要部構成を示す概略断面図である。
【００２０】
同図に示すように、画像形成装置１０は、後述するトナー粒子を用いて記録用紙Ｐに対して画像を形成するためのものであり、磁気ドラム１２、磁気ヘッド１４、現像装置１６、中間転写体１８、クリーニングブレード２０、消磁装置２２及び転写定着ローラ２４を含んで構成されている。
【００２１】
磁気ドラム１２は、一端部が画像形成装置１０の筐体（図示省略）の内壁に回転可能に取り付けられた円筒状の回転体であり、磁気ドラム１２の外周に磁気ヘッド１４、現像装置１６、中間転写体１８、クリーニングブレード２０及び消磁装置２２が順次に設けられている。また、磁気ドラム１２は、モータ２６の回転駆動力を受けて図の矢印Ａ方向に回転駆動する。
【００２２】
なお、本実施形態に係る画像形成装置１０では、磁気ドラム１２の外周面が撥水性を有している。ここでいう「撥水性」とは水を弾く性質のことを意味し、具体的には純水との接触角が７０度以上であることをいう。
【００２３】
磁気ヘッド１４は、後述する端末装置７２（図６参照。）から入力された画像情報に応じた磁力線を磁気ドラム１２の外周面上に放出することによって、磁気ドラム１２上に磁気潜像を形成するものである。
【００２４】
現像装置１６は、磁気ドラム１２上に形成された磁気潜像を現像するために、当該磁気潜像を現像するトナー粒子（現像剤）を含む液体（以下、「現像液」という。）を磁気ドラム１２に供給するものであり、各々、液体貯留容器３０及び現像ローラ３２を含んで構成されている。なお、現像液は、水性媒体、界面活性剤及びトナー粒子を含んで構成されている。トナー粒子は磁性体を含んで構成される磁性トナーである。また、本実施形態に係る画像形成装置１０では、イエローの磁気トナーを適用しているが、これに限らず、他色の磁気トナーを適用しても良いことは言うまでもない。
【００２５】
液体貯留容器３０は、現像液が貯留されるものであり、当該現像液を磁気ドラム１２に供給するための開口（図示省略）が形成されている。現像装置１６の液体貯留容器３０にはイエローのトナー粒子を含む現像液が貯留されている。
【００２６】
現像ローラ３２は、上記トナー粒子を磁気ドラム１２に付着させるものである。現像ローラ３２は、両端部が液体貯留容器３０の内壁に回転可能に取り付けられた円柱状の回転体であり、液体貯留容器３０に貯留された現像液に一部が浸るように、かつ外周面が液体貯留容器３０の開口を介して磁気ドラム１２の外周面に接触するように設けられており、磁気ドラム１２の回転に従動する。
【００２７】
中間転写体１８は、上記磁気潜像を現像液によって現像することにより磁気ドラム１２上に形成されたトナー像（現像像）が転写されるものである。中間転写体１８は、両端部が画像形成装置１０の筐体の内壁に回転可能に取り付けられた円柱状の回転体であり、外周面が磁気ドラム１２の外周面に接触するように設けられており、モータ２８の回転駆動力を受けて図の矢印Ｂ方向に回転駆動する。また、中間転写体１８は、内部にヒータ（図示省略）を備えており、当該ヒータによる加熱及び磁気ドラム１２とのニップ圧によって磁気ドラム１２上に形成されたトナー像が転写される。
【００２８】
なお、本実施形態に係る画像形成装置１０では、画像形成処理を実行する際にモータ２６により磁気ドラム１２が１０ｍｍ／ｓで回転されているが、これに限らず、これとは異なる回転速度で磁気ドラム１２を回転させても良く、磁気ドラム１２の回転速度は、画像形成装置１０の設計仕様や使用目的等に応じて決定すればよい。
【００２９】
また、本実施形態に係る画像形成装置１０では、磁気ドラム１２上に形成されたトナー像を中間転写体１８に転写する際に中間転写体１８の回転速度が磁気ドラム１２の回転速度よりも遅くなるように磁気ドラム１２及び中間転写体１８が制御されている。
【００３０】
転写定着ローラ２４は、中間転写体１８により搬送されたトナー像を記録用紙Ｐに転写させると同時に定着させるものである。本実施形態に係る画像形成装置１０では、記録用紙Ｐが中間転写体１８と転写定着ローラ２４とによって挟まれることにより、中間転写体１８上のトナー像が記録用紙Ｐに密着され、これによって記録用紙Ｐにトナー像が転写され、これと同時に記録用紙Ｐ上にトナー像が定着される。なお、これに限らず、トナー像の定着は、トナーの特性により加圧のみによって行ってもよいし、転写定着ローラ２４に発熱体を設けて加圧及び加熱によって行ってもよい。
【００３１】
クリーニングブレード２０は、磁気ドラム１２の転写残トナーを剥ぎ取って回収するものである。また、消磁装置２２は、磁気ドラム１２上の磁気潜像を消去するものである。なお、本実施形態に係るでは、クリーニングブレード２０を適用しているが、これに限らず、クリーニングブラシやその他のクリーニング装置であってもよいことは言うまでもない。
【００３２】
ところで、このように構成された画像形成装置１０では、磁気ドラム１２によってトナー像が中間転写体１８との接触位置まで搬送されると、現像装置１６により磁気ドラム１２上に供給された現像液も当該接触位置まで搬送されることになる。
【００３３】
しかし、磁気ドラム１２上に形成されたトナー像は中間転写体１８との接触位置に到達するまでの間に水分が蒸発し、界面活性剤及びトナー粒子が残り、糊状になってしまう。これではトナー像の磁気ドラム１２に対する付着力が増大してしまい、トナー像を中間転写体１８に十分な転写率で転写することができない。なお、ここでいう「転写率」とは、転写前の磁気ドラム１２上のトナー像に含まれるトナー粒子の量に対する転写後の中間転写体１８上のトナー像に含まれるトナー粒子の量の割合のことである。
【００３４】
図２には、画像形成装置１０において、磁気ドラム１２の直径が１５０ｍｍ、中間転写体１８の直径が４９ｍｍ、中間転写体１８の外周面の素材がシリコン樹脂材、中間転写体１８の外周面の厚さが３ｍｍ、磁気ドラム１２の回転速度が１０ｍｍ／ｓ、磁気ドラム１２の回転速度に対する中間転写体１８の回転速度の割合が１．０、磁気ドラム１２の周囲の温度が２２℃、磁気ドラム１２の周囲の湿度が５５％という条件下で磁気ドラム１２上に形成したトナー像を放置した時間と転写率との関係を示すグラフが示されている。
【００３５】
同図に示されるように、トナー像の放置時間が１０分を超えた辺りから転写率が急減に低下している。この理由は、前述したように、時間経過と共にトナー像に含まれる水分が蒸発することでトナー像に含まれる界面活性剤が糊として作用し、磁気ドラム１２との付着力を増大させるためである。実際の画像形成プロセスでトナー像を１０分間放置することは考え難いが、記録用紙Ｐのジャムの発生から復旧までの経過時間が考えられる。この場合、磁気ドラム１２上に形成されたトナー像をクリーニングブレード２０を用いてクリーニングする場合、付着力が強力なため、十分にクリーニングを行うことができず、画像形成時に影響を与えてしまう。
【００３６】
また、中間転写体１８の熱が磁気ドラム１２に伝わるので、磁気ドラム１２の表面温度が上昇し、連続して画像形成が行われるとより一層磁気ドラム１２の表面温度が上昇する。従って、中間転写体１８から伝達される熱により磁気ドラム１２上に形成されたトナー像の水分がより一層蒸発し、トナー像の磁気ドラム１２に対する付着力が益々増大してしまい、トナー像の転写率をより一層悪化させてしまう。
【００３７】
図３には、画像形成装置１０において、磁気ドラム１２の直径が１５０ｍｍ、中間転写体１８の直径が２０ｍｍ、中間転写体１８の外周面の素材がシリコン樹脂材、中間転写体１８の外周面の厚さが３ｍｍ、磁気ドラム１２の回転速度が１０ｍｍ／ｓ、磁気ドラム１２の回転速度に対する中間転写体１８の回転速度の割合が０．９７という条件下での磁気ドラム１２の表面温度に対するイエローのトナー像の転写率を示すグラフが示されている。
【００３８】
同図に示されるように、磁気ドラム１２の表面温度が４０℃を超えた辺りから転写率が急激に低下している。この理由は、前述したように、トナー像に含まれる水分が磁気ドラム１２上で蒸発し、トナー像に含まれる界面活性剤が糊となり、磁気ドラム１２との付着力を増大させるためである。
【００３９】
そこで、本実施形態に係る画像形成装置１０では、トナー像の転写率を向上させる転写率向上処理が実行される。そのために、本実施形態に係る画像形成装置１０には、膜厚測定部３６、温度測定部３８、湿度測定部４０、送風器４２，４４（図４を参照。）、表面温度センサ４６、水分供給部４８、水分除去部５０及びヒートシンク５２（図５を参照。）が備えられている。
【００４０】
膜厚測定部３６は、現像液に含まれる水性媒体の磁気ドラム１２上における膜厚を測定するものである。なお、本実施形態に係る画像形成装置１０では、磁気ドラム１２上における磁気潜像が形成されない領域（画像形成領域外）であって、磁気ドラム１２の外周面の端部における水性媒体の膜厚を測定している。
【００４１】
また、本実施形態に係る画像形成装置１０では、膜厚測定部３６として光透過型フォトセンサ（一例として、キーエンス社製ＬＳ７０３０）を適用している。この光透過型フォトセンサは、現像装置１６と上記接触位置との間に設けられている。上記光透過型フォトセンサは、光を発する発光部と、当該光を受光し、受光した光量に応じた電流を出力する受光部と、を備えており、発光部から発せられた光の光軸が磁気ドラム１２の外周面に接するように当該外周面に近接して設けられている。
【００４２】
また、本実施形態に係る画像形成装置１０では、上記光透過型フォトセンサの発光部と受光部との距離として１０ｍｍを適用しているが、これに限らず、画像形成装置１０の設計仕様や設置環境などに応じて決定すればよい。
【００４３】
また、本実施形態に係る画像形成装置１０では、膜厚測定部３６として光透過型フォトセンサを適用しているが、これに限らず、磁気ドラム１２上の水性媒体の膜厚を測定することができる他のセンサを用いても良いことは言うまでもない。
【００４４】
また、本実施形態に係る画像形成装置１０では、膜厚測定部３６の測定位置として、画像形成時において磁気ドラム１２上の現像液が現像装置１６による現像液の供給位置から６秒後に到達する位置を適用しているが、これに限らず、膜厚測定部３６の測定位置は画像形成装置１０の設計仕様や設置環境等に応じて決定すればよい。
【００４５】
温度測定部３８及び湿度測定部４０は、現像装置１６と膜厚測定部３６との間で、かつ磁気ドラム１２の外周面に近接して設けられている。温度測定部３８は、磁気ドラム１２の周囲の温度を測定するものである。なお、本実施形態に係る画像形成装置１０では、温度測定部３８としてサーミスタを適用しているが、これに限らず、白金測温抵抗体や熱電対などの他の温度センサを用いても良いことは言うまでもない。
【００４６】
また、湿度測定部４０は、磁気ドラム１２の周囲の湿度を測定するものである。なお、本実施形態に係る画像形成装置１０では、湿度測定部４０として高分子膜湿度センサを適用しているが、これに限らず、セラミック湿度センサや電解質湿度センサなどの他の湿度センサを用いても良いことは言うまでもない。
【００４７】
送風器４２は、磁気ドラム１２上に送風するものであり、上記接触位置と膜厚測定部３６との間で送風面が磁気ドラム１２の外周面に対向して設けられている。なお、本実施形態に係る画像形成装置１０では、送風器４２としてシロッコファンを適用しているが、これに限らず、ターボファン、サイレントファン、エアホイルファン等の他のファンを適用しても良いことは言うまでもない。
【００４８】
表面温度センサ４６は、磁気ドラム１２の表面温度を測定するものであり、送風器４２と膜厚測定部３６との間に設けられており、トナー像の形成領域外であって、磁気ドラム１２の外周面の端部における温度を測定している。なお、本実施形態では、表面温度センサ４６として熱電対を適用しているが、これに限らず、白金測温抵抗体などの他の温度センサを用いても良いことは言うまでもない。
【００４９】
水分供給部４８は、磁気ドラム１２におけるトナー像の形成領域に対してミスト状の水分を供給するものであり、送風器４２と表面温度センサ４６との間に設けられている。なお、水分の粒子径は、５〜１０μｍであることが好ましい。
【００５０】
水分除去部５０は、磁気ドラム１２上の水分を除去するものであり、上記接触位置と送風器４２との間に設けられている。なお、本実施形態に係る水分除去部５０はスポンジであるが、これに限らず、布であってもよく、磁気ドラム１２上に形成されたトナー像を乱すことなく磁気ドラム１２上の水分を吸収するものであれば如何なるものも適用可能である。また、本実施形態に係る水分除去部５０はソレノイド（図示省略）を含んで構成されており、ソレノイドのプランジャの先端がスポンジに固定されており、スポンジは、ソレノイドをオン・オフすることにより磁気ドラム１２の表面に対して前後動するプランジャによって磁気ドラム１２の表面に対して接触状態又は非接触状態となり、接触状態のときに磁気ドラム１２上の水分を吸収することにより除去する。
【００５１】
図４には、磁気ドラム１２及びその周辺の構成を示す概略斜視図が示されている。
【００５２】
同図に示されるように、磁気ドラム１２は、中空部１２ａを有する円筒体であり、他端に開口１２ｂが形成されている。送風器４４は、中空部１２ａに送風可能となるように開口１２ｂに対向するように設けられている。
【００５３】
図５には、磁気ドラム１２及び中間転写体１８の構成を示す概略斜視図が示されている。
【００５４】
同図に示されるように、磁気ドラム１２の内周面にはヒートシンク５２が磁気ドラム１２の軸方向に沿って延在している。磁気ドラム１２から熱を吸収して放出するものである。ヒートシンク５２は、底板５２ａ及びフィン部５２ｂに大別される。底板５２ａは、磁気ドラム１２の内周面の形状に対応する曲面形状とされ、磁気ドラム１２の内周面に置かれている。フィン部５２ｂは、複数のフィンからなり、底板５２ａに立設されており、底板５２ａで吸収した熱を放出させ易い構造となっている。従って、磁気ドラム１２が回転すると、底板５２ａが磁気ドラム１２の内周面上を摺動し、磁気ドラム１２から底板５２ａを介してフィン部５２ｂに熱が伝わり、その熱がフィン部５２ｂを介して空気中に放出される。
【００５５】
図６は、本実施形態に係る画像形成装置１０の電気系の要部構成を示すブロック図である。
【００５６】
同図に示すように、画像形成装置１０は、ＣＰＵ（中央処理装置）６０、ＲＯＭ（Read Only Memory）６２、ＲＡＭ（Random Access Memory）６４、ＮＶＭ（Non Volatile Memory)６６、ＵＩ（ユーザ・インタフェース）パネル６８、及び通信インタフェース７０を含んで構成されている。
【００５７】
ＣＰＵ６０は、画像形成装置１０全体の動作を司るものである。ＲＯＭ６２は、画像形成装置１０の作動を制御する制御プログラム、後述する転写率向上処理プログラムや各種パラメータ等を予め記憶する記憶手段として機能するものである。ＲＡＭ６４は、各種プログラムの実行時のワークエリア等として用いられるものである。ＮＶＭ６６は、装置の電源スイッチが切られても保持しなければならない各種情報を記憶するものである。
【００５８】
ＵＩパネル６８は、ディスプレイ上に透過型のタッチパネルが重ねられたタッチパネルディスプレイ等から構成され、各種情報がディスプレイの表示面に表示されると共に、ユーザがタッチパネルに触れることにより所望の情報や指示が入力される。
【００５９】
通信インタフェース７０は、パーソナル・コンピュータ等の端末装置７２に接続され、端末装置７２から記録用紙Ｐに形成する画像を示す画像情報等の各種情報を受信するためのものである。
【００６０】
ＣＰＵ６０、ＲＯＭ６２、ＲＡＭ６４、ＮＶＭ６６、ＵＩパネル６８及び通信インタフェース７０は、システムバスＢＵＳを介して相互に接続されている。従って、ＣＰＵ６０は、ＲＯＭ６２、ＲＡＭ６４、ＮＶＭ６６へのアクセスと、ＵＩパネル６８への各種情報の表示と、ＵＩパネル６８に対するユーザの操作指示内容の把握と、端末装置７２からの通信インタフェース７０を介した各種情報の受信と、を各々行う。
【００６１】
また、画像形成装置１０は、液体マグネトグラフィ方式にて記録用紙Ｐに対して画像形成を行う画像形成エンジン部７４を含んで構成されている。画像形成エンジン部７４は、前述した磁気ドラム１２、磁気ヘッド１４、現像装置１６、中間転写体１８、クリーニングブレード２０、消磁装置２２、転写定着ローラ２４及びモータ２６、２８を含んで構成されている。
【００６２】
画像形成エンジン部７４もまた、システムバスＢＵＳに接続されている。従って、ＣＰＵ６０は、画像形成エンジン部７４の作動の制御を行う。
【００６３】
更に、前述した膜厚測定部３６、温度測定部３８、湿度測定部４０、送風器４２，４４、表面温度センサ４６、水分供給部４８及び水分除去部５０もまた、システムバスＢＵＳに接続されている。従って、ＣＰＵ６０は、膜厚測定部３６により測定された膜厚を示す膜厚情報の取得と、温度測定部３８により測定された温度を示す温度情報の取得と、湿度測定部４０により測定された湿度を示す湿度情報の取得と、送風器４２，４４の作動の制御と、表面温度センサ４６により測定された温度の把握と、水分供給部４８の作動の制御と、水分除去部５０の作動の制御と、を各々行う。
【００６４】
一方、本実施形態に係る画像形成装置１０では、ＲＯＭ６２に、前述した転写率向上処理を実行する際に用いられるものであり、温度測定部３８により測定される温度と湿度測定部４０により測定される湿度との組み合わせに対応する磁気ドラム１２上に供給された現像液に含まれる水性媒体の膜厚の経時変化を示す経時変化情報が予め記憶されている。
【００６５】
図７には、ＲＯＭ６２に記憶されている上記経時変化情報の一例を示すグラフが示されている。
【００６６】
同図に示すように、経時変化情報は、温度が２８℃で、かつ湿度が８０％の条件（２８℃／８０％）、温度が２２℃で、かつ湿度が５５％の条件（２２℃／５５％）、及び温度が１５℃で、かつ湿度が２０％の条件（１５℃／２０％）の各々の条件下において、磁気ドラム１２上で現像液を放置した際の経過時間に対する当該現像液の膜厚の変化を測定した結果を示している。
【００６７】
次に、本実施形態に係る画像形成装置１０の作用を説明する。先ず、画像形成エンジン部７４の処理の流れについて簡単に説明する。
【００６８】
磁気ドラム１２及び中間転写体１８の回転駆動が開始されると、磁気ヘッド１４により磁気ドラム１２上に磁気潜像が形成される。そして、液体貯留容器３０に貯留された現像液は現像ローラ３２によって搬送され、磁気ドラム１２上に形成された磁気潜像に供給される。これによって磁気潜像は顕像化されてトナー像となる。当該トナー像は、磁気ドラム１２及び中間転写体１８が回転された状態で中間転写体１８に転写される。すなわち、当該トナー像は、図１の矢印Ａ方向に回転する磁気ドラム１２によって搬送され、中間転写体１８の外周面に転写される。中間転写体１８により矢印Ｂ方向に搬送されたトナー像は、転写定着ローラ２４との接触位置において記録用紙Ｐに転写されると同時に定着される。
【００６９】
中間転写体１８にトナー像を転写した磁気ドラム１２では、転写残トナーがクリーニングブレード２０との接触位置まで運ばれ、クリーニングブレード２０によって剥ぎ取られ回収される。クリーニングブレード２０によって転写残トナーが回収された後、磁気潜像を保持したまま磁気ドラム１２は消磁装置２２の位置まで回転移動し、消磁装置２２により、磁気ドラム１２上の磁気潜像が消去される。これによって磁気ドラム１２は画像形成前の磁気状態に戻される。
【００７０】
次に、図８を参照して、前述した転写率向上処理を画像形成時に実行する際の画像形成装置１０の作用を説明する。なお、図８は、画像形成エンジン部６４が画像形成処理を実行している際に画像形成装置１０のＣＰＵ６０により実行される転写率向上処理プログラムの処理の流れを示すフローチャートであり、当該プログラムはＲＯＭ６２の予め定められた領域に予め記憶されている。
【００７１】
同図のステップ１００では、表面温度センサ４６に対して磁気ドラム１２の表面温度を測定させ、次のステップ１０２にて、磁気ドラム１２の表面温度が予め定められた温度を超えているか否かを判定し、否定判定となった場合にはステップ１０４からステップ１１２の処理を実行せずにステップ１１４へ移行する一方、肯定判定となった場合にはステップ１０４へ移行する。なお、本実施形態に係る画像形成装置１０では、上記予め定められた温度として、磁気ドラム１２上にトナー像を形成してから当該トナー像を中間転写体１８に転写するまでの間にトナー像の水分が蒸発して水分過少で良好な転写を行うことができなくなるものとして、画像形成装置１０の実機による実験や画像形成装置１０の設計仕様に基づくコンピュータ・シミュレーション等によって予め得られた温度を適用している。
【００７２】
ステップ１０４では、水分供給部４８に対して磁気ドラム１２の表面に水分を供給させ、次のステップ１０６にて、送風器４２，４４に対して磁気ドラム１２上への送風を行わせ、次のステップ１０８にて、水分除去部５０に対して磁気ドラム１２の表面の水分を除去させる。
【００７３】
次のステップ１１０では、表面温度センサ４６に対して磁気ドラム１２の表面温度を測定させ、次のステップ１１２にて、磁気ドラム１２の表面温度が上記予め定められた温度を超えているか否かを判定し、肯定判定となった場合にはステップ１０４へ戻る一方、否定判定となった場合にはステップ１１４へ移行する。
【００７４】
ステップ１１４では、画像形成エンジン部６４により磁気ドラム１２上にトナー像を形成させ、次のステップ１１６にて、膜厚測定部３６により測定された膜厚を示す膜厚情報を膜厚測定部３６から取得すると共に、温度測定部３８により測定された温度を示す温度情報を温度測定部３８から取得し、かつ湿度測定部４０により測定された湿度を示す湿度情報を湿度測定部４０から取得する。
【００７５】
次のステップ１１８では、前述したように、上記ステップ１１６で取得した温度情報により示される温度と上記ステップ１１６で取得した湿度情報により示される湿度との各々に対応する経時変化情報をＲＯＭ６２から読み出す。
【００７６】
なお、本実施形態に係る画像形成装置１０では、上記ステップ１１８の処理として、温度測定部３８により測定された温度と湿度測定部４０により測定された湿度の各々に最も適合する経時変化情報をＲＯＭ５２から読み出す処理を適用している。すなわち、前述した３種類の条件の経時変化情報のうち、温度測定部３８により測定された温度に最も近い温度に対応する経時変化情報と、湿度測定部４０により測定された湿度に最も近い湿度に対応する経時変化情報と、をＲＯＭ６２から読み出す処理を適用している。例えば、温度測定部３８により測定された温度が３０℃で、湿度測定部４０により測定された湿度が５０％の場合には、２８℃／８０％の条件に対応する経時変化情報と、２２℃／５５％の条件に対応する経時変化情報と、をＲＯＭ６２から読み出している。
【００７７】
なお、本実施形態に係る画像形成装置１０では、上記ステップ１１８の処理として、温度測定部３８により測定された温度が２８℃と２２℃との中央値又は２２℃と２８℃との中央値である場合には温度が高い方に対応する経時変化情報をＲＯＭ６２から読み出し、湿度測定部４０により測定された湿度が８０％と５５％との中央値又は５５％と２０％との中央値である場合には湿度が高い方に対応する経時変化情報をＲＯＭ６２から読み出す処理を適用している。
【００７８】
次のステップ１２０では、上記ステップ１１６で取得した温度情報により示される温度に対応する経時変化情報と上記ステップ１１６で取得した湿度情報により示される湿度に対応する経時変化情報との平均値を算出する。
【００７９】
次のステップ１２２では、上記ステップ１２０で算出した平均値を用いて、上記ステップ１１６で取得した膜厚情報により示される膜厚に対応する時間から予め定められた時間が経過した時点でのトナー像の膜厚を推定する。なお、ここでいう「予め定められた時間」とは、トナー像が膜厚測定部３６上を通過してから中間転写体１８との接触位置に到達する迄の時間である。
【００８０】
次のステップ１２４では、上記ステップ１２２で推定した膜厚が予め定められた膜厚以下であるか否かを判定し、否定判定となった場合にはステップ１２６へ移行する。なお、本実施形態に係る画像形成装置１０では、上記予め定められた膜厚として、磁気ドラム１２上にトナー像を形成し、当該トナー像を中間転写体１８に転写する際に水分過少で良好な転写を行うことができない上限値として、画像形成装置１０の実機による実験や画像形成装置１０の設計仕様に基づくコンピュータ・シミュレーション等によって予め得られた膜厚を適用している。
【００８１】
ステップ１２６では、トナー像の水分が過多であるか否か、すなわち、トナー像の膜厚が予め定められた膜厚範囲に収まっていないか否かを判定し、肯定判定となった場合にはステップ１２８へ移行し、送風器４２に対してトナー像の膜厚が上記予め定められた膜厚範囲に収まるように磁気ドラム１２上への送風を行わせた後、本転写率向上処理プログラムを終了する一方、否定判定となった場合にはステップ１２８の処理を実行せずに本転写率向上処理プログラムを終了する。
【００８２】
なお、本実施形態に係る画像形成装置１０では、上記予め定められた膜厚範囲として、トナー像の磁気ドラム１２から中間転写体１８への良好な転写を行うことができるものとして画像形成装置１０の実機による実験や画像形成装置１０の設計仕様に基づくコンピュータ・シミュレーション等によって予め得られた膜厚範囲を適用している。
【００８３】
一方、ステップ１２４において肯定判定となった場合には、ステップ１３０へ移行し、水分供給部４８に対して磁気ドラム１２の表面に水分を供給させ、次のステップ１３２にて、送風器４２に対してトナー像の膜厚が上記予め定められた膜厚範囲に収まるように磁気ドラム１２上への送風を行わせた後、本転写率向上処理プログラムを終了する。
【００８４】
このように、上記ステップ１２２で推定された膜厚が上記予め定められた膜厚以下とされた場合には磁気ドラム１２の表面に水分を供給する。これにより、図９に示すように、トナー像の膜厚は上記予め定められた膜厚範囲を超えてしまうが、送風器４２により送風を行わせることにより上記予め定められた膜厚範囲内に収められる。
【００８５】
以上、本発明を上記実施形態を用いて説明したが、本発明の技術的範囲は上記実施形態に記載の範囲には限定されない。発明の主旨を逸脱しない範囲で上記実施形態に多様な変更または改良を加えることができ、当該変更または改良を加えた形態も本発明の技術的範囲に含まれる。
【００８６】
また、上記実施形態は、特許請求の範囲に記載された発明を限定するものではなく、また、上記実施形態の中で説明されている特徴の組み合わせの全てが発明の解決手段に必須であるとは限らない。上記実施形態には種々の段階の発明が含まれており、開示される複数の構成要件における状況に応じた組み合わせにより種々の発明を抽出できる。上記実施形態に示される全構成要件から幾つかの構成要件が削除されても、効果が得られる限りにおいて、この幾つかの構成要件が削除された構成が発明として抽出され得る。
【００８７】
例えば、上記実施形態では、転写率向上処理を画像形成時に行う場合の形態例を挙げて説明したが、これに限らず、画像形成装置１０が磁気ドラム１２をクリーニングブレード２０を用いて清掃する清掃モードになっているときに転写率向上処理を実行してもよい。なお、この場合、磁気ドラム上にトナー像を形成する必要はない。
【００８８】
また、上記実施形態では、温度及び湿度の組み合わせに対応する経時変化情報を用いて膜厚を調整する場合の形態例を挙げて説明したが、これに限らず、温度及び湿度の一方に対応する経時変化情報を用いて膜厚を調整するようにしてもよい。
【００８９】
また、上記実施形態では、３種類の経時変化情報がＲＯＭ６２に予め記憶されている場合の形態例を挙げて説明したが、これに限らず、ＲＯＭ６２に記憶される経時変化情報は何種類であっても良い。但し、高精度な制御を行うためにはある程度の種類が必要である。
【００９０】
また、上記実施形態では、磁気ドラム１２の表面に水分を供給した後に送風器４２により送風を行わせることにより磁気ドラム１２上のトナー像の膜厚を予め定められた膜厚範囲に収めるようにしたが、これに限らず、磁気ドラム１２上のトナー像の膜厚、すなわち、磁気ドラム１２上の現像液の膜厚が予め定められた膜厚となるように磁気ドラム１２の表面に水分を供給するようにしてもよい。
【００９１】
また、上記実施形態では、中間転写体１８として円柱状のものを適用したが、ベルト状のものを適用してもよい。この場合、ベルトの搬送方向に沿って、イエロー、マゼンタ、シアン、ブラックの画像形成装置をタンデム状に配設し、カラー画像形成を行うようにしてもよい。また、磁気ドラム１２の外周面に沿ってイエロー、マゼンタ、シアン、ブラックの現像装置を配設することによりカラー画像形成を行うようにしてもよい。
【００９２】
その他、上記実施形態で説明した画像形成装置１０の構成（図１参照。）は一例であり、主旨を逸脱しない範囲内において状況に応じて変更可能であることは言うまでもない。
【００９３】
また、上記実施形態では、本発明の現像剤としてトナー粒子を適用した場合の形態例を挙げて説明したが、これに限定されるものではなく、トナー粒子以外の他の現像剤を適用しても良いことは言うまでもない。
【００９４】
また、上記実施形態で説明した転写率向上処理プログラムの処理の流れ（図８参照。）も一例であり、主旨を逸脱しない範囲内において不要なステップを削除したり、新たなステップを追加したり、処理順序を入れ替えたりすることができることは言うまでもない。
【図面の簡単な説明】
【００９５】
【図１】実施形態に係る画像形成装置の要部構成を示す概略断面図である。
【図２】実施形態に係る画像形成装置により予め定められた条件下で磁気ドラム上に形成したトナー像を放置した時間と転写率との関係を示すグラフである。
【図３】実施形態に係る画像形成装置における予め定められた条件下での磁気ドラムの表面温度に対するイエローのトナー像の転写率を示すグラフである。
【図４】実施形態に係る磁気ドラム及びその周辺の構成を示す概略斜視図である。
【図５】実施形態に係る磁気ドラム及び中間転写体の構成を示す概略斜視図である。
【図６】実施形態に係る画像形成装置の電気系の要部構成を示すブロック図である。
【図７】実施形態に係る画像形成装置のＲＯＭに記憶されている経時変化情報の一例を示すグラフである。
【図８】実施形態に係る転写率向上処理プログラムの処理の流れを示すフローチャートである。
【図９】実施形態に係る転写率向上処理の実行前後の磁気ドラム上のトナー像の膜厚の経時変化を示すグラフである。
【符号の説明】
【００９６】
１０  画像形成装置
１２  磁気ドラム（磁気潜像保持体）
１２ａ  中空部
１６  現像装置（液体現像剤供給手段）
１８  中間転写体（被転写体）
３６  膜厚測定部（膜厚測定手段）
３８  温度測定部（環境物理量測定手段）
４０  湿度測定部（環境物理量測定手段）
４２，４４  送風器（送風手段）
４８  水分供給部（水分供給手段）
５０  水分除去部（除去手段）
６０  ＣＰＵ（制御手段、推定手段）
６２  ＲＯＭ（記憶手段）
【図１】
2010143188.tif 000003
【図２】
2010143188.tif 000004
【図３】
2010143188.tif 000005
【図４】
2010143188.tif 000006
【図５】
2010143188.tif 000007
【図６】
2010143188.tif 000008
【図７】
2010143188.tif 000009
【図８】
2010143188.tif 000010
【図９】
2010143188.tif 000011